【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
装置であって、前記装置は、
ａ．電磁気刺激信号を送達するために適合された電気信号発生器と、
ｂ．指先の周りに光を発生させるために、前記電磁気刺激信号を前記指先に適用するために適合された電極と、
ｃ．前記指先を照射するために適合された光源と、
ｄ．前記指先を照射することに反応して第１の画像を得るために適合され、前記電磁気刺激信号を適用することに反応して第２の画像を得るためにさらに適合されたカメラと
を備える、装置。
【請求項２】
前記第１の画像から、図心、卵形、および卵形の中心線を決定するために適合され、前記中心線に従って前記第２の画像に対する半径方向区域化体系を決定するためにさらに適合されたプロセッサ回路をさらに備える、請求項１に記載の装置。
【請求項３】
前記半径方向区域化体系を参照して前記第２の画像を分析して、特定の身体生体構造の場所に特定の生理学的ステータスインジケータを提供する手段をさらに備える、請求項１に記載の装置。
【請求項４】
装置であって、前記装置は、
ａ．カメラと、
ｂ．電気信号発生器と、
ｃ．前記信号発生器に結合された電極であって、前記電極は、指が前記カメラと比較して一位置にあるときに、前記指からの光の放射に刺激を与える、電極と、
ｄ．前記一位置において前記指を照射する光源と、
ｅ．前記光源および前記カメラをアクティブにして前記一位置における前記指の第１の画像を取得し、前記信号発生器および前記カメラをアクティブにして前記一位置における前記指からの前記光の放射の第２の画像を取得する回路と
を備える、装置。
【請求項５】
ａ．前記回路は、プロセッサ回路と、前記プロセッサに結合されたメモリ回路とを備え、
ｂ．前記メモリ回路内に記憶された命令を前記メモリ回路から読み取ることによって、前記プロセッサ回路は、方法を実行し、前記方法は、前記第１の画像から方向を決定することと、前記第２の画像から図心を決定することと、前記方向および前記図心に従って前記第２の画像の説明を決定することとを含む、請求項４に記載の装置。
【請求項６】
ヒトの指の画像に従って、特定化された反応指標を提供するシステムであって、前記システムは、
ａ．カメラと、
ｂ．電気信号発生器と、
ｃ．前記信号発生器に結合された電極であって、前記電極は、前記指が前記カメラと比較して一位置にあるときに、前記指からの光の放射に刺激を与える、電極と、
ｄ．前記一位置において前記指を照射する光源と、
ｅ．前記光源および前記カメラをアクティブにして前記一位置における前記指の第１の画像を取得し、前記信号発生器および前記カメラをアクティブにして前記一位置における前記指からの前記光の放射の第２の画像を取得する回路であって、前記回路は、前記第１の画像から方向を決定し、前記第２の画像から図心を決定し、前記方向および前記図心に従って前記第２の画像の説明を決定する、回路と、
ｆ．前記説明のインディシャを受信し、前記説明に従って前記特定化された反応指標を提供するコンピュータであって、前記特定化された反応指標は、前記ヒトの器官のステータスを説明する、コンピュータと
を備える、システム。
【請求項７】
前記コンピュータは、ネットワークを介して前記回路に結合されている、請求項６に記載のシステム。
【請求項８】
ヒトの指の画像に従って、特定化された反応指標を提供するシステムであって、前記システムは、
ａ．カメラと、
ｂ．電気信号発生器と、
ｃ．前記信号発生器に結合された電極であって、前記電極は、前記指が前記カメラと比較して一位置にあるときに、前記指からの光の放射に刺激を与える、電極と、
ｄ．前記一位置において前記指を照射する光源と、
ｅ．コンピュータと
を備え、
（１）前記光源および前記カメラは、前記コンピュータに反応して、前記一位置における前記指の第１の画像を取得し、
（２）前記信号発生器および前記カメラは、前記コンピュータに反応して、前記一位置における前記指からの前記光の放射の第２の画像を取得し、
（３）前記コンピュータは、前記第１の画像から方向を決定し、前記第２の画像から図心を決定し、前記方向および前記図心に従って前記第２の画像の説明を決定し、前記説明に従って前記特定化された反応指標を提供し、前記特定化された反応指標は、前記ヒトの器官のステータスを説明する、システム。
【請求項９】
信号プロセッサ回路であって、前記信号プロセッサ回路は、
対象の指またはつま先の周囲における可視または他の光の少なくとも２次元空間反応情報を取得することであって、前記空間反応情報は、互に直交する少なくとも第１および第２の空間次元に関する情報を提供可能であるように構成されている光検出器において取得され、前記光は、前記指またはつま先の周囲において光を産生するために十分な前記指またはつま先の電気刺激に反応して取得される、ことと、
前記空間反応情報を前記空間反応情報が取得された前記指またはつま先から遠隔にある規定された特定の身体生体構造、場所、構成要素、または系に関連付けることと
を行うように構成され、
前記関連付けることは、
前記少なくとも２次元の空間反応情報を半径方向に区域化することと、
複数のパラメータを算出することであって、前記複数のパラメータを算出することは、前記半径方向に区域化された少なくとも２次元の空間反応情報を使用して、前記パラメータのうちの少なくとも１つを算出することを含む、ことと、
患者の母集団を表す臨床知識ベースからの情報を使用して、前記パラメータのうちの少なくとも１つを調節または比較することであって、前記情報を使用することは、前記対象以外の少なくとも数人の患者の使用を含む、ことと、
前記空間反応情報を使用するために前記少なくとも１つの調節されたパラメータを使用することにより、前記規定された特定の身体生体構造、場所、構成要素、または系に特定の特定化された反応指標を提供することと
を含む、信号プロセッサ回路と、
前記電気刺激を前記指またはつま先に提供するように構成されている電極であって、前記電気刺激は、ＡＣ電気刺激を含み、前記電極は、前記指またはつま先の周囲における前記可視または他の光の少なくとも一部を通過させるために十分に透明であり、前記光検出器は、前記電極を通して、前記指またはつま先の周囲における前記可視または他の光のうちの通過した部分を受光するように構成され、前記光検出器は、前記信号プロセッサ回路に、前記指またはつま先の周囲における可視または他の光の前記２次元空間反応情報を提供するように構成されている、電極と、
（１）前記対象の指またはつま先と、（２）前記電極との間の誘電障壁であって、前記誘電障壁は、前記対象の指またはつま先の周囲における前記可視または他の光のうちの前記部分を通過させるために十分に透明であるように構成されている、誘電障壁と
を備え、
前記特定化された反応指標は、前記規定された特定の身体生体構造、場所、構成要素、または系専用であり、他の特定の身体生体構造、場所、構成要素、または系を対象とせず、
前記関連付けることは、少なくとも２次元の空間光強度合計および密度情報の両方を使用して、前記特定化された反応指標を算出することをさらに含み、
前記空間反応情報は、第１の少なくとも２次元の空間反応情報および第２の少なくとも２次元の空間反応情報を含み、前記関連付けることは、（１）前記指またはつま先と前記電極との間の誘電障壁の存在を伴って取得された前記第１の空間反応情報と、（２）前記指またはつま先と前記電極との間の前記誘電障壁の存在を伴わずに取得された前記第２の空間反応情報との間で決定される差異または他の相対的情報を使用して、前記特定化された反応指標を算出することを含む、装置。
【請求項１０】
信号プロセッサ回路を備えている装置であって、
前記信号プロセッサ回路は、
対象の指またはつま先の周囲における可視または他の光の少なくとも２次元空間反応情報を取得することであって、前記空間反応情報は、互に直交する少なくとも第１および第２の空間次元に関する情報を提供可能であるように構成されている光検出器において取得され、前記光は、前記指またはつま先の周囲において光を産生するために十分な前記指またはつま先の電気刺激に反応して取得される、ことと、
前記空間反応情報を前記空間反応情報が取得された前記指またはつま先から遠隔にある規定された特定の身体生体構造、場所、構成要素、または系に関連付けることと
を行うように構成され、
前記関連付けることは、
前記少なくとも２次元の空間反応情報を半径方向に区域化することと、
複数のパラメータを算出することであって、前記複数のパラメータを算出することは、前記半径方向に区域化された少なくとも２次元の空間反応情報を使用して、前記パラメータのうちの少なくとも１つを算出することを含む、ことと、
患者の母集団を表す臨床知識ベースからの情報を使用して、前記パラメータのうちの少なくとも１つを調節または比較することであって、前記情報を使用することは、前記対象以外の少なくとも数人の患者の使用を含む、ことと、
前記空間反応情報を使用するために前記少なくとも１つの調節されたパラメータを使用することにより、前記規定された特定の身体生体構造、場所、構成要素、または系に特定の特定化された反応指標を提供することと
を含み、
前記空間反応情報は、第１の少なくとも２次元の空間反応情報および第２の少なくとも２次元の空間反応情報を含み、前記信号プロセッサ回路は、前記空間反応情報を使用して、特定化された反応指標を提供するように構成され、前記空間反応情報を使用することは、（１）前記指またはつま先と前記電極との間の誘電障壁の存在を伴って取得された前記第１の空間反応情報と、（２）前記指またはつま先と前記電極との間の前記誘電障壁の存在を伴わずに取得された前記第２の空間反応情報との間で決定される第１の差異情報を使用することを含み、
前記空間反応情報は、第３の少なくとも２次元の空間反応情報および第４の少なくとも２次元の空間反応情報をさらに含み、前記信号プロセッサ回路は、前記空間反応情報を使用して、特定化された反応指標を提供するように構成され、前記空間反応情報を使用することは、（１）前記指またはつま先と前記電極との間の誘電障壁の存在を伴って、較正用空間反応として取得された前記第３の空間反応情報と、（２）前記指またはつま先と前記電極との間の前記誘電障壁の存在を伴わずに、較正用画像として取得された前記第４の空間反応情報との間で決定される第２の差異情報を使用することをさらに含む、装置。
【請求項１１】
信号プロセッサ回路を備えている装置であって、
前記信号プロセッサ回路は、
対象の指またはつま先の周囲における可視または他の光の少なくとも２次元空間反応情報を取得することであって、前記空間反応情報は、互に直交する少なくとも第１および第２の空間次元に関する情報を提供可能であるように構成されている光検出器において取得され、前記光は、前記指またはつま先の周囲において光を産生するために十分な前記指またはつま先の電気刺激に反応して取得される、ことと、
前記空間反応情報を前記空間反応情報が取得された前記指またはつま先から遠隔にある規定された特定の身体生体構造、場所、構成要素、または系に関連付けることと
を行うように構成され、
前記関連付けることは、
前記少なくとも２次元の空間反応情報を半径方向に区域化することと、
複数のパラメータを算出することであって、前記複数のパラメータを算出することは、前記半径方向に区域化された少なくとも２次元の空間反応情報を使用して、前記パラメータのうちの少なくとも１つを算出することを含む、ことと、
患者の母集団を表す臨床知識ベースからの情報を使用して、前記パラメータのうちの少なくとも１つを調節または比較することであって、前記情報を使用することは、前記対象以外の少なくとも数人の患者の使用を含む、ことと、
前記空間反応情報を使用するために前記少なくとも１つの調節されたパラメータを使用することにより、前記規定された特定の身体生体構造、場所、構成要素、または系に特定の特定化された反応指標を提供することと
を含み、
前記空間反応情報は、第１の空間反応情報および第２の空間反応情報を含み、前記信号プロセッサ回路は、前記空間反応情報を使用して、特定化された反応指標を提供するように構成され、前記空間反応情報を使用することは、（１）前記指またはつま先と前記電極との間の誘電障壁の存在を伴って取得された前記第１の空間反応情報と、（２）前記指またはつま先と前記電極との間の前記誘電障壁の存在を伴わずに取得された前記第２の空間反応情報との各々に対して決定される、有効画素の（１）複合強度と、（２）空間広がりとから決定されるＮＳパラメータを使用して、前記特定化された反応指標を算出することを含む、装置。
【請求項１２】
信号プロセッサ回路を備えている装置であって、
前記信号プロセッサ回路は、
対象の指またはつま先の周囲における可視または他の光の少なくとも２次元空間反応情報を取得することであって、前記空間反応情報は、互に直交する少なくとも第１および第２の空間次元に関する情報を提供可能であるように構成されている光検出器において取得され、前記光は、前記指またはつま先の周囲において光を産生するために十分な前記指またはつま先の電気刺激に反応して取得される、ことと、
前記空間反応情報を前記空間反応情報が取得された前記指またはつま先から遠隔にある規定された特定の身体生体構造、場所、構成要素、または系に関連付けることと
を行うように構成され、
前記関連付けることは、
前記少なくとも２次元の空間反応情報を半径方向に区域化することと、
複数のパラメータを算出することであって、前記複数のパラメータを算出することは、前記半径方向に区域化された少なくとも２次元の空間反応情報を使用して、前記パラメータのうちの少なくとも１つを算出することを含む、ことと、
患者の母集団を表す臨床知識ベースからの情報を使用して、前記パラメータのうちの少なくとも１つを調節または比較することであって、前記情報を使用することは、前記対象以外の少なくとも数人の患者の使用を含む、ことと、
前記空間反応情報を使用するために前記少なくとも１つの調節されたパラメータを使用することにより、前記規定された特定の身体生体構造、場所、構成要素、または系に特定の特定化された反応指標を提供することと
を含み、
前記信号プロセッサ回路は、前記空間反応情報を使用して、特定化された反応指標を提供するように構成され、前記空間反応情報を使用することは、有効画素の（１）複合強度と、（２）空間広がりとから決定されるＮＳパラメータを使用して、前記生理学的ステータスインジケータを算出することを含む、装置。
【請求項１３】
信号プロセッサ回路を備えている装置であって、
前記信号プロセッサ回路は、
対象の指またはつま先の周囲における可視または他の光の少なくとも２次元空間反応情報を取得することであって、前記空間反応情報は、互に直交する少なくとも第１および第２の空間次元に関する情報を提供可能であるように構成されている光検出器において取得され、前記光は、前記指またはつま先の周囲において光を産生するために十分な前記指またはつま先の電気刺激に反応して取得される、ことと、
前記空間反応情報を前記空間反応情報が取得された前記指またはつま先から遠隔にある規定された特定の身体生体構造、場所、構成要素、または系に関連付けることと
を行うように構成され、
前記関連付けることは、
前記少なくとも２次元の空間反応情報を半径方向に区域化することと、
複数のパラメータを算出することであって、前記複数のパラメータを算出することは、前記半径方向に区域化された少なくとも２次元の空間反応情報を使用して、前記パラメータのうちの少なくとも１つを算出することを含む、ことと、
患者の母集団を表す臨床知識ベースからの情報を使用して、前記パラメータのうちの少なくとも１つを調節または比較することであって、前記情報を使用することは、前記対象以外の少なくとも数人の患者の使用を含む、ことと、
前記空間反応情報を使用するために前記少なくとも１つの調節されたパラメータを使用することにより、前記規定された特定の身体生体構造、場所、構成要素、または系に特定の特定化された反応指標を提供することと
を含み、
前記信号プロセッサ回路は、
着目パラメータの周波数帯域幅の２倍を超えるサンプリング率において、着目サンプリング期間にわたり、前記空間反応情報を繰り返しサンプリングすることと、
前記着目パラメータの周波数特性を決定することと、
前記着目パラメータの前記周波数特性を使用して、生理学的ステータス指標を決定することと
を行うように構成されている、装置。
【請求項１４】
前記信号プロセッサ回路は、前記特定化された反応指標が、（１）少なくとも１つの他の特定の身体生体構造、場所、構成要素、または系、または、（２）前記規定された特定の身体生体構造、場所、構成要素、または系の正常な生理学的状態のうちの少なくとも１つと比較して、前記規定された特定の身体生体構造、場所、構成要素、または系の異常な生理学的状態の相対的リスクを示すように構成されている、請求項９から１３のいずれかに記載の装置。
【請求項１５】
前記信号プロセッサ回路は、前記少なくとも２次元の空間反応情報が、前記複数のパラメータの算出前に、前記少なくとも２次元の空間反応情報の少なくとも１つの指定された面積内の１つ以上の空間反応アーチファクトを減衰させるため、または無視するために事前に処理されるように構成されている、請求項９から１３のいずれかに記載の装置。
【請求項１６】
前記信号プロセッサ回路は、前記少なくとも２次元の空間反応情報が、前記複数のパラメータの算出前に、回転または平行移動のうちの少なくとも１つによって、前記少なくとも２次元の空間反応情報を自動的に配向するために事前に処理されるように構成されている、請求項９から１３のいずれかに記載の装置。
【請求項１７】
前記信号プロセッサ回路は、少なくとも２次元の空間光強度合計および密度情報の両方の経時的傾向を含む、前記特定化された反応指標を決定するように構成されている、請求項９から１３のいずれかに記載の装置。
【請求項１８】
前記信号プロセッサ回路は、空間光強度情報の面積および平均強度の多項式関係を使用して、前記特定化された反応指標を決定するように構成されている、請求項９から１３のいずれかに記載の装置。
【請求項１９】
前記信号プロセッサ回路は、
前記特定化された反応情報を使用して、生理学的ステータスインジケータを決定することと、
前記生理学的ステータスインジケータをユーザまたは自動化プロセスに提供することと
を行うように構成されている、請求項９から１３のいずれかに記載の装置。
【請求項２０】
前記信号プロセッサ回路は、前記空間反応情報を使用して、心血管系、胃腸／内分泌系、呼吸系、腎臓系、または肝臓系のうちの選択された特定の１つに特定の特定化された反応指標を提供するように構成されている、請求項９から１３のいずれかに記載の装置。
【請求項２１】
前記信号プロセッサ回路は、前記空間反応情報を使用して、心血管系、胃腸／内分泌系、呼吸系、腎臓系、または肝臓系のうちの選択された特定の１つに特定の生理学的ステータスインジケータを提供するように構成されている、請求項９から１３のいずれかに記載の装置。
【請求項２２】
前記信号プロセッサ回路は、前記空間反応情報を使用して、特定化された反応指標を提供するように構成され、前記空間反応情報を使用することは、前記空間反応情報のエントロピーパラメータの決定を使用することを含む、請求項９から１３のいずれかに記載の装置。
【請求項２３】
前記信号プロセッサ回路は、前記空間反応情報を使用して、特定化された反応指標を提供するように構成され、前記空間反応情報を使用することは、内側の第１の半径の環形と外側の第２の半径の環形との間の規定された中心にある第１の環形領域内にある前記空間反応情報の形状１パラメータを決定することを含む、請求項９から１３のいずれかに記載の装置。
【請求項２４】
前記信号プロセッサ回路は、前記空間反応情報を使用して、特定化された反応指標を提供するように構成され、前記空間反応情報を使用することは、内側の第１の半径の環形と外側の第２の半径の環形との間の規定された中心にある第１の環形領域内にある前記空間反応情報の形状１パラメータを決定することを含み、
前記信号プロセッサ回路は、前記空間反応情報を使用して、前記特定化された反応指標を提供するように構成され、前記空間反応情報を使用することはまた、前記内側の第１の半径の環形と外側の第３の半径の環形との間の規定された中心にある第２の環形領域内の前記空間反応情報の形状２パラメータを決定することを含み、前記第３の半径は、前記第２の半径を超える、請求項９から１３のいずれかに記載の装置。
【請求項２５】
前記信号プロセッサ回路は、前記空間反応情報を使用して、前記特定化された反応指標を提供するように構成され、前記空間反応情報を使用することは、（１）規定された閾値を超える空間反応画素の周縁と、（２）前記規定された閾値を超える前記空間反応画素の前記周縁における空間変動とを使用して、前記空間反応情報のフラクタルパラメータを決定することを含む、請求項９から１３のいずれかに記載の装置。
【請求項２６】
前記第１の空間反応、前記第２の空間反応、前記第３の空間反応、および前記第４の空間反応は、同一の対象および同一日の較正用空間反応から取得される、請求項１０に記載の装置。
【請求項２７】
前記第１の空間反応および前記第２の空間反応は、同一の対象から取得され、前記第３の空間反応および前記第４の空間反応は、異なる対象からの複合情報によって取得される、請求項１０に記載の装置。
【請求項２８】
前記対象の視覚図を表示するように構成されているディスプレイをさらに備え、
前記ディスプレイは、前記規定された特定の身体生体構造、場所、構成要素、または系の表示された指標を前記規定された特定の身体生体構造、場所、構成要素、または系に特定の前記特定化された反応インジケータに関する情報によって標識化するように構成されている、請求項９から１３のいずれかに記載の装置。
【請求項２９】
前記空間反応情報は、第１の空間反応情報および第２の空間反応情報を含み、前記信号プロセッサ回路は、前記空間反応情報を使用して、特定化された反応指標を提供するように構成され、前記空間反応情報を使用することは、（１）前記指またはつま先と前記電極との間の誘電障壁の存在を伴って取得された前記第１の空間反応情報と、（２）前記指またはつま先と前記電極との間の前記誘電障壁の存在を伴わずに取得された前記第２の空間反応情報との各々に対して決定される、有効画素の（１）複合強度と、（２）空間広がりとから決定されるＮＳパラメータを使用して、前記特定化された反応指標を算出することを含む、請求項９、１０、１２、または１３のいずれかに記載の装置。
【請求項３０】
前記信号プロセッサ回路は、前記空間反応情報を使用して、特定化された反応指標を提供するように構成され、前記空間反応情報を使用することは、有効画素の（１）複合強度と、（２）空間広がりとから決定されるＮＳパラメータを使用して、前記生理学的ステータスインジケータを算出することを含む、請求項９、１０、または１３のいずれかに記載の装置。
【請求項３１】
前記信号プロセッサ回路は、
着目パラメータの周波数帯域幅の２倍を超えるサンプリング率において、着目サンプリング期間にわたり、前記空間反応情報を繰り返しサンプリングすることと、
前記着目パラメータの周波数特性を決定することと、
前記着目パラメータの前記周波数特性を使用して、生理学的ステータス指標を決定することと
を行うように構成されている、請求項９または１０のいずれかに記載の装置。